(57)【要約】  ディスプレイ装置が開示される。ディスプレイ装置は、複数のディスプレイモジュールを含むディスプレイと、前記複数のディスプレイモジュールのそれぞれに接続された複数の駆動モジュールを含むディスプレイ駆動部と、ディスプレイ素子の輝度別電流制御情報を保存するストレージと、前記複数の駆動モジュールによって提供可能な全パワー容量及び前記複数のディスプレイモジュールのそれぞれの個別消費パワー量に基づいて、前記複数のディスプレイモジュールのそれぞれで利用可能な最大パワー量を算出し、算出された最大パワー量に基づいて、前記複数のディスプレイモジュールのそれぞれのピーク輝度レベルを算出し、前記電流制御情報に基づいて、前記複数のディスプレイモジュールのそれぞれに対応するピーク輝度レベルを有するように前記複数の駆動モジュールを制御するプロセッサとを含む。
2019523452.tif 000002
【特許請求の範囲】
【請求項１】
複数のディスプレイモジュールを含むディスプレイと、
前記複数のディスプレイモジュールのそれぞれに接続された複数の駆動モジュールを含むディスプレイ駆動部と、
ディスプレイ素子の輝度別電流制御情報を保存するストレージと、
前記複数の駆動モジュールによって提供可能な全パワー容量及び前記複数のディスプレイモジュールのそれぞれの個別消費パワー量に基づいて、前記複数のディスプレイモジュールのそれぞれで利用可能な最大パワー量を算出し、算出された最大パワー量に基づいて、前記複数のディスプレイモジュールのそれぞれのピーク輝度レベルを算出し、前記電流制御情報に基づいて、前記複数のディスプレイモジュールのそれぞれに対応するピーク輝度レベルを有するように前記複数の駆動モジュールを制御するプロセッサと
を含むディスプレイ装置。
【請求項２】
前記全パワー容量は、
前記複数の駆動モジュールのそれぞれによって提供可能な定格パワー容量の和によって算出されることを特徴とする請求項１に記載のディスプレイ装置。
【請求項３】
前記プロセッサは、
前記複数の駆動モジュールによって提供可能な全パワー容量、及び前記複数のディスプレイモジュールの全消費パワー量及び前記複数のディスプレイモジュールのそれぞれの個別消費パワー量間の比率に基づいて、前記複数のディスプレイモジュールのそれぞれで利用可能な最大パワー量を算出することを特徴とする請求項１に記載のディスプレイ装置。
【請求項４】
前記電流制御情報は、
前記複数のディスプレイモジュールを構成する各サブピクセルの電流に応じた輝度及び色相特性に基づいてキャリブレーションされた各サブピクセルの輝度別電流制御情報を含み、
前記プロセッサは、
前記ストレージに保存された情報に基づいて、前記複数のディスプレイモジュールのそれぞれに対応するピーク輝度レベルを有するように前記複数の駆動モジュールを制御することを特徴とする請求項１に記載のディスプレイ装置。
【請求項５】
前記ストレージに保存された電流制御情報は、
各サブピクセルの電流に応じた輝度レベル情報及び各サブピクセルの電流に応じた色相シフト情報に基づいてキャリブレーションされた前記各サブピクセルの輝度別電流ゲイン値を含む情報であることを特徴とする請求項４に記載のディスプレイ装置。
【請求項６】
前記ストレージは、
ディスプレイモジュールに提供されるパワー別輝度レベル情報を更に保存し、
前記プロセッサは、
前記パワー別最大輝度レベル情報及び前記複数のディスプレイモジュールのそれぞれで利用可能な最大パワー量に基づいて、前記複数のディスプレイモジュールのそれぞれのピーク輝度レベルを算出することを特徴とする請求項１に記載のディスプレイ装置。
【請求項７】
前記プロセッサは、
前記複数のディスプレイモジュールのそれぞれが前記算出されたピーク輝度レベルを有するための前記複数のディスプレイモジュールのそれぞれに対応する前記各サブピクセル別電流ゲイン値を前記ストレージから獲得し、前記獲得された前記各サブピクセル別電流ゲイン値に基づいて、前記複数の駆動モジュールのそれぞれの駆動状態を制御することを特徴とする請求項６に記載のディスプレイ装置。
【請求項８】
前記ストレージは、
映像の階調別サブピクセルのそれぞれのパワー情報を更に保存し、
前記プロセッサは、
前記複数のディスプレイモジュールのそれぞれにディスプレイされる映像の階調値及び前記階調別サブピクセルのそれぞれのパワー情報に基づいて、前記複数のディスプレイモジュールのそれぞれの消費パワー量を算出することを特徴とする請求項１に記載のディスプレイ装置。
【請求項９】
前記複数のディスプレイモジュールのそれぞれは、
複数のＬＥＤ素子を含むＬＥＤキャビネットで実現され、
前記各サブピクセルは、Ｒ（Ｒｅｄ）  ＬＥＤ、Ｇ（Ｇｒｅｅｎ）  ＬＥＤ、Ｂ（Ｂｌｕｅ）  ＬＥＤピクセルであることを特徴とする請求項１に記載のディスプレイ装置。
【請求項１０】
複数のディスプレイモジュールで構成されたディスプレイを含むディスプレイ装置の駆動方法において、
前記複数のディスプレイモジュールを駆動する複数の駆動モジュールによって提供可能な全パワー容量及び前記複数のディスプレイモジュールのそれぞれの個別消費パワー量に基づいて、前記複数のディスプレイモジュールのそれぞれで利用可能な最大パワー量を算出するステップと、
前記算出された最大パワー量に基づいて、前記複数のディスプレイモジュールのそれぞれのピーク輝度レベルを算出し、前記複数のディスプレイモジュールのそれぞれに対応するピーク輝度レベルを有するように前記複数のディスプレイモジュールを駆動するステップと
を含む駆動方法。
【請求項１１】
前記全パワー容量は、
前記複数の駆動モジュールのそれぞれによって提供可能な定格パワー容量の和によって算出されることを特徴とする請求項１０に記載の駆動方法。
【請求項１２】
前記最大パワー量を算出するステップは、
前記複数の駆動モジュールによって提供可能な全パワー容量、及び前記複数のディスプレイモジュールの全消費パワー量及び前記複数のディスプレイモジュールのそれぞれの個別消費パワー量間の比率に基づいて、前記複数のディスプレイモジュールのそれぞれで利用可能な最大パワー量を算出することを特徴とする請求項１０に記載の駆動方法。
【請求項１３】
前記ディスプレイ装置は、
前記複数のディスプレイモジュールを構成する各サブピクセルの電流に応じた輝度及び色相特性に基づいてキャリブレーションされた各サブピクセルの輝度別電流制御情報を含むストレージを更に含み、
前記複数のディスプレイモジュールを駆動するステップは、
前記ストレージに保存された電流制御情報に基づいて、前記複数のディスプレイモジュールのそれぞれに対応するピーク輝度レベルを有するように前記複数のディスプレイモジュールを駆動することを特徴とする請求項１０に記載の駆動方法。
【請求項１４】
前記ストレージに保存された電流制御情報は、
各サブピクセルの電流に応じた輝度レベル情報及び各サブピクセルの電流に応じた色相シフト情報に基づいてキャリブレーションされた前記各サブピクセルの輝度別電流ゲイン値を含む情報であることを特徴とする請求項１３に記載の駆動方法。
【請求項１５】
前記ストレージは、
ディスプレイモジュールに提供されるパワー別輝度レベル情報を更に保存し、
前記ピーク輝度レベルを算出するステップは、
前記パワー別最大輝度レベル情報及び前記複数のディスプレイモジュールのそれぞれで利用可能な最大パワー量に基づいて、前記複数のディスプレイモジュールのそれぞれのピーク輝度レベルを算出することを特徴とする請求項１０に記載の駆動方法。
【発明の詳細な説明】
【技術分野】
【０００１】
本発明は、ディスプレイ装置及びその駆動方法に関し、より詳細には、電流によって駆動される自発光素子で構成されたディスプレイを備えるディスプレイ装置及びその駆動方法に関する。
【背景技術】
【０００２】
発光ダイオード（Ｌｉｇｈｔ  Ｅｍｉｔｔｉｎｇ  Ｄｉｏｄｅ：ＬＥＤ）は、電流を光に変換させる半導体発光素子である。近来、発光ダイオードは、輝度が次第に増加するにつれて、ディスプレイ用の光源、自動車用の光源及び照明用の光源への使用が増加しており、蛍光物質を利用したり、多様な色の発光ダイオードを組み合わせることで、効率に優れた白色光を発光する発光ダイオードも実現ができるようになった。
【０００３】
このような発光ダイオードは、電流を増加させることで映像を高い輝度で表示することができるようになる。
【０００４】
特に、複数のＬＥＤディスプレイモジュール（例えば、ＬＥＤキャビネット）で構成されたディスプレイの使用の際、各ディスプレイモジュールから提供可能な定格パワー容量に基づいて、各ディスプレイモジュールのピーク輝度を決定するようになる。
【０００５】
しかし、この場合、各ディスプレイモジュールにディスプレイされる映像によって、ピーク輝度を実現するために求められるパワー量が異なるため、ディスプレイ装置から提供されるパワーが最大限に利用できていないという問題点があった。
【発明の概要】
【発明が解決しようとする課題】
【０００６】
そこで、本発明は、上記問題に鑑みてなされたものであり、本発明の目的とするところは、ピーク輝度の実現の際、複数のディスプレイモジュール間のパワーシェアリングを通じ、ピーキング（ｐｅａｋｉｎｇ）効果を極大化できるディスプレイ装置及びその駆動方法を提供することにある。
【課題を解決するための手段】
【０００７】
以上のような目的を達成するための本発明の一実施形態に係るディスプレイ装置は、複数のディスプレイモジュールを含むディスプレイと、前記複数のディスプレイモジュールのそれぞれに接続された複数の駆動モジュールを含むディスプレイ駆動部と、ディスプレイ素子の輝度別電流制御情報を保存するストレージと、前記複数の駆動モジュールによって提供可能な全パワー容量及び前記複数のディスプレイモジュールのそれぞれの個別消費パワー量に基づいて、前記複数のディスプレイモジュールのそれぞれで利用可能な最大パワー量を算出し、算出された最大パワー量に基づいて、前記複数のディスプレイモジュールのそれぞれのピーク（ｐｅａｋ）輝度レベルを算出し、前記電流制御情報に基づいて、前記複数のディスプレイモジュールのそれぞれに対応するピーク輝度レベルを有するように前記複数の駆動モジュールを制御するプロセッサとを含む。
【０００８】
ここで、前記全パワー容量は、前記複数の駆動モジュールのそれぞれによって提供可能な定格パワー容量の和によって算出されてよい。
【０００９】
なお、前記プロセッサは、前記複数の駆動モジュールによって提供可能な全パワー容量、及び前記複数のディスプレイモジュールの全消費パワー量及び前記複数のディスプレイモジュールのそれぞれの個別消費パワー量間の比率に基づいて、前記複数のディスプレイモジュールのそれぞれで利用可能な最大パワー量を算出してよい。
【００１０】
なお、前記電流制御情報は、前記複数のディスプレイモジュールを構成する各サブピクセルの電流に応じた輝度及び色相特性に基づいてキャリブレーションされた各サブピクセルの輝度別電流制御情報を含み、前記プロセッサは、前記ストレージに保存された情報に基づいて、前記複数のディスプレイモジュールのそれぞれに対応するピーク輝度レベルを有するように前記複数の駆動モジュールを制御してよい。
【００１１】
なお、前記ストレージに保存された電流制御情報は、各サブピクセルの電流に応じた輝度レベル情報及び各サブピクセルの電流に応じた色相シフト（ｓｈｉｆｔ）情報に基づいてキャリブレーションされた前記各サブピクセルの輝度別電流ゲイン値を含んでよい。
【００１２】
なお、前記ストレージは、ディスプレイモジュールに提供されるパワー別輝度レベル情報を更に保存し、前記プロセッサは、前記パワー別最大輝度レベル情報及び前記複数のディスプレイモジュールのそれぞれで利用可能な最大パワー量に基づいて、前記複数のディスプレイモジュールのそれぞれのピーク輝度レベルを算出してよい。
【００１３】
なお、前記プロセッサは、前記複数のディスプレイモジュールのそれぞれが前記算出されたピーク輝度レベルを有するための前記複数のディスプレイモジュールのそれぞれに対応する前記各サブピクセル別電流ゲイン値を前記ストレージから獲得し、前記獲得された前記各サブピクセル別電流ゲイン値に基づいて、前記複数の駆動モジュールのそれぞれの駆動状態を制御してよい。
【００１４】
なお、前記ストレージは、映像の階調別サブピクセルのそれぞれのパワー情報を更に保存し、前記プロセッサは、前記複数のディスプレイモジュールのそれぞれにディスプレイされる映像の階調値及び前記階調別サブピクセルのそれぞれのパワー情報に基づいて、前記複数のディスプレイモジュールのそれぞれの消費パワー量を算出してよい。
【００１５】
ここで、前記複数のディスプレイモジュールのそれぞれは、複数のＬＥＤ素子を含むＬＥＤキャビネット（ｃａｂｉｎｅｔ）で実現され、前記各サブピクセルは、Ｒ（Ｒｅｄ）  ＬＥＤ、Ｇ（Ｇｒｅｅｎ）  ＬＥＤ、Ｂ（Ｂｌｕｅ）  ＬＥＤピクセルであってよい。
【００１６】
一方、本発明の一実施形態に係る複数のディスプレイモジュールで構成されたディスプレイを含むディスプレイ装置の駆動方法は、前記複数のディスプレイモジュールを駆動する複数の駆動モジュールによって提供可能な全パワー容量及び前記複数のディスプレイモジュールのそれぞれの個別消費パワー量に基づいて、前記複数のディスプレイモジュールのそれぞれで利用可能な最大パワー量を算出するステップと、前記算出された最大パワー量に基づいて、前記複数のディスプレイモジュールのそれぞれのピーク輝度レベルを算出し、前記複数のディスプレイモジュールのそれぞれに対応するピーク輝度レベルを有するように前記複数のディスプレイモジュールを駆動するステップとを含む。
【００１７】
ここで、前記全パワー容量は、前記複数の駆動モジュールのそれぞれによって提供可能な定格パワー容量の和によって算出されてよい。
【００１８】
なお、前記最大パワー量を算出するステップは、前記複数の駆動モジュールによって提供可能な全パワー容量、及び前記複数のディスプレイモジュールの全消費パワー量及び前記複数のディスプレイモジュールのそれぞれの個別消費パワー量間の比率に基づいて、前記複数のディスプレイモジュールのそれぞれで利用可能な最大パワー量を算出してよい。
【００１９】
なお、前記ディスプレイ装置は、前記複数のディスプレイモジュールを構成する各サブピクセルの電流に応じた輝度及び色相特性に基づいてキャリブレーションされた各サブピクセルの輝度別電流制御情報を含むストレージを更に含み、前記複数のディスプレイモジュールを駆動するステップは、前記ストレージに保存された電流制御情報に基づいて、前記複数のディスプレイモジュールのそれぞれに対応するピーク輝度レベルを有するように前記複数のディスプレイモジュールを駆動してよい。
【００２０】
なお、前記ストレージに保存された電流制御情報は、各サブピクセルの電流に応じた輝度レベル情報及び各サブピクセルの電流に応じた色相シフト情報に基づいてキャリブレーションされた前記各サブピクセルの輝度別電流ゲイン値を含んでよい。
【００２１】
なお、前記ストレージは、ディスプレイモジュールに提供されるパワー別輝度レベル情報を更に保存し、前記ピーク輝度レベルを算出するステップは、前記パワー別最大輝度レベル情報及び前記複数のディスプレイモジュールのそれぞれで利用可能な最大パワー量に基づいて、前記複数のディスプレイモジュールのそれぞれのピーク輝度レベルを算出してよい。
【００２２】
なお、前記複数のディスプレイモジュールを駆動するステップは、前記複数のディスプレイモジュールのそれぞれが前記算出されたピーク輝度レベルを有するための前記複数のディスプレイモジュールのそれぞれに対応する前記各サブピクセル別電流ゲイン値を前記ストレージから獲得し、前記獲得された前記各サブピクセル別電流ゲイン値に基づいて、前記複数のディスプレイモジュールを駆動してよい。
【００２３】
なお、前記ストレージは、映像の階調別サブピクセルのそれぞれのパワー情報を更に保存し、前記ピーク輝度レベルを算出するステップは、前記複数のディスプレイモジュールのそれぞれにディスプレイされる映像の階調値及び前記階調別サブピクセルのそれぞれのパワー情報に基づいて、前記複数のディスプレイモジュールのそれぞれの消費パワー量を算出してよい。
【００２４】
ここで、前記複数のディスプレイモジュールのそれぞれは、複数のＬＥＤ素子を含むＬＥＤキャビネットで実現され、前記各サブピクセルは、Ｒ（Ｒｅｄ）  ＬＥＤ、Ｇ（Ｇｒｅｅｎ）  ＬＥＤ、Ｂ（Ｂｌｕｅ）  ＬＥＤピクセルであってよい。
【発明の効果】
【００２５】
以上説明したように、本発明によれば、複数のディスプレイモジュールで構成されたディスプレイ装置において、ピーク輝度の実現の際、複数のディスプレイモジュール間のパワーシェアリングを通じ、ピーキング効果を極大化できるようになる。なお、各サブピクセルで入力される電流の増加によるカラーシフト現象を防止できるようになるため、ユーザに提供される映像の画質が向上する。
【図面の簡単な説明】
【００２６】
【図１】本発明の一実形態に係るディスプレイ装置の構成を概略に説明するための図である。
【図２ａ】本発明の一実施形態に係るディスプレイ装置の構成を示すブロック図である。
【図２ｂ】本発明の一実施形態に係るディスプレイ装置の構成を示すブロック図である。
【図３ａ】本発明の一実施形態に係る各ディスプレイモジュールの消費パワー量の算出方法を説明するための図である。
【図３ｂ】本発明の一実施形態に係る各ディスプレイモジュールの消費パワー量の算出方法を説明するための図である。
【図４】本発明の一実施形態に係る映像の階調別サブピクセルのそれぞれのパワー情報を説明するための図である。
【図５】本発明の一実施形態に係る複数のディスプレイモジュール間パワーシェアリング方法を説明するための図である。
【図６】本発明の一実施形態に係るディスプレイモジュールに提供されるパワー別最大輝度レベル情報を示す図である。
【図７】本発明の一実施形態に係る各サブピクセルの輝度別電流ゲイン情報を示す図である。
【図８】本発明の理解を促すための電流増加によるＲ／Ｇ／Ｂ  ＬＥＤ素子の輝度特性を説明するための図である。
【図９ａ】本発明の理解を促すための電流増加によるＲ／Ｇ／Ｂ  ＬＥＤ素子の色相シフト特性を説明するための図である。
【図９ｂ】本発明の理解を促すための電流増加によるＲ／Ｇ／Ｂ  ＬＥＤ素子の色相シフト特性を説明するための図である。
【図９ｃ】本発明の理解を促すための電流増加によるＲ／Ｇ／Ｂ  ＬＥＤ素子の色相シフト特性を説明するための図である。
【図１０】本発明の一実施形態に係るディスプレイ装置の駆動方法を説明するためのフローチャートである。
【発明を実施するための形態】
【００２７】
以下、本発明の多様な実施形態をにおいて、添付の図面を参照して詳細に説明する。
【００２８】
図１は、本発明の一実形態に係るディスプレイ装置の構成を概略に説明するための図である。
【００２９】
図１に示すように、本発明の一実施形態に係るディスプレイ装置１００は、複数のディスプレイモジュール１１０−１、１１０−２、１１０−３、１１０−４、…を物理的に接続する形態で実現されてよい。ここで、複数のディスプレイモジュールのそれぞれは、マトリックス状に配列される複数のピクセル、例えば、自発光ピクセルを含んでよい。特に、ディスプレイモジュールは、複数のピクセルのそれぞれがＬＥＤピクセルで実現されるＬＥＤモジュールまたは複数のＬＥＤモジュールが接続されたＬＥＤキャビネットで実現されてよいが、それに限らない。例えば、ディスプレイモジュールは、ＬＣＤ（ｌｉｑｕｉｄ  ｃｒｙｓｔａｌ  ｄｉｓｐｌａｙ）、ＯＬＥＤ（ｏｒｇａｎｉｃ  ＬＥＤ）  ＡＭＯＬＥＤ（ａｃｔｉｖｅ−ｍａｔｒｉｘ  ＯＬＥＤ）、ＰＤＰ（Ｐｌａｓｍａ  Ｄｉｓｐｌａｙ  Ｐａｎｅｌ）などで実現されてよい。ただ、以下では、説明の便宜上、ディスプレイモジュールのそれぞれがＬＥＤキャビネットで実現される場合を想定して説明する。
【００３０】
ＬＥＤは、印加される電流を増加させることで映像を高い輝度で表示することができ、通常、複数のＬＥＤディスプレイモジュール（例えば、ＬＥＤキャビネット）で構成されたディスプレイ使用の際に各ディスプレイモジュールから提供可能な定格パワー容量に基づいて、各ディスプレイモジュールのピーク輝度を決定するようになる。
【００３１】
この場合、各ディスプレイモジュールにディスプレイされる映像によって、ピーク輝度を実現するために要求されるパワー量が異なるため、本発明ではピーク輝度の実現時に複数のディスプレイモジュール間パワーシェアリングを通じてピーキング効果を極大化できる多様な実施形態について説明する。
【００３２】
図２ａは、本発明の一実施形態に係るディスプレイ装置の構成を示すブロック図である。
【００３３】
図２ａによると、ディスプレイ装置１００は、ディスプレイ１１０と、ディスプレイ駆動部１２０と、ストレージ１３０及びプロセッサ１４０を含む。
【００３４】
ディスプレイ１１０は、複数のディスプレイモジュールを含む。特に、ディスプレイ１１０は、複数のディスプレイモジュール１１０−１、…、１１０−ｎ）を接続して組み合わせた形態で構成されてよい。ここで、複数のディスプレイモジュールのそれぞれは、マトリックス状に配列される複数のピクセル、例えば、自発光ピクセルを含んでよい。一実施形態によってディスプレイ１１０は、複数のＬＥＤモジュール（少なくとも１つのＬＥＤ素子を含むＬＥＤモジュール）及び／または、複数のＬＥＤキャビネットで実現されてよい。なお、ＬＥＤモジュールは、複数のＬＥＤピクセルを含んでよいが、一例によってＬＥＤピクセルは、ＲＧＢ  ＬＥＤで実現されてよく、ＲＧＢ  ＬＥＤはＲＥＤ  ＬＥＤ、ＧＲＥＥＮ  ＬＥＤ及びＢＬＵＥ  ＬＥＤを同時に含んでよい。
【００３５】
ディスプレイ駆動部１２０は、プロセッサ１４０の制御によってディスプレイ１１０を駆動する。例えば、ディスプレイ駆動部１２０は、プロセッサ１４０の制御によって、ディスプレイ１１０を構成する各自発光素子、例えば、ＬＥＤピクセルを駆動するために駆動電圧を印加するか、駆動電流を流れるようにすることで、各ＬＥＤピクセルを駆動する。
【００３６】
ディスプレイ駆動部１２０は、複数のディスプレイモジュール１１０−１、…、１１０−ｎのそれぞれに接続された複数のＬＥＤ駆動モジュール１２０−１、…、１２０−ｎを含む。複数のＬＥＤ駆動モジュール１２０−１、…、１２０−ｎは、後述のプロセッサ１４０から入力されるそれぞれの制御信号に対応するように複数のディスプレイモジュール１１０−１、…、１１０−ｎに駆動電流を供給して複数のディスプレイモジュール１１０−１、…、１１０−ｎを駆動する。
【００３７】
具体的に、複数のＬＥＤ駆動モジュール１２０−１、…、１２０−ｎは、プロセッサ１４０から入力されるそれぞれの制御信号に対応するように複数のディスプレイモジュール１１０−１、…、１１０−ｎに供給される駆動電流の供給時間又は強度などを調節して出力する。
【００３８】
複数のＬＥＤ駆動モジュール１２０−１、…、１２０−ｎのそれぞれは、電源供給のためのパワーサプライ（ｐｏｗｅｒ  ｓｕｐｐｌｙ）を備えてよい。パワーサプライは、交流電流を複数のディスプレイモジュール１１０−１、…、１１０−ｎのそれぞれで安定的に使用できるように直流電流に切り替えてそれぞれのシステムに合わせて電源を供給するハードウェアである。パワーサプライは、大きく、入力電磁波障害（ＥＭＩ）フィルタ部と、交流−直流整流部、直流−直流スイッチング変換部、出力フィルタ及び出力部からなってよい。パワーサプライは、例えば、 ＳＭＰＳ（ｓｗｉｔｃｈｅｄ  ｍｏｄｅ  ｐｏｗｅｒ  ｓｕｐｐｌｙ）で実現されてよい。ＳＭＰＳは、半導体スイッチ素子のオンオフ時間比率を制御し、出力を安定化させた直流安定化電源装置で高効率、小型及び軽量化が可能であり、複数のディスプレイモジュール１１０−１、…、１１０−ｎのそれぞれを駆動するのに利用されてよい。
【００３９】
ただ、別の実施形態によると、ディスプレイ駆動部１２０は、複数のディスプレイモジュール１１０−１、…、１１０−ｎのそれぞれに電源を供給する複数のＳＭＰＳを別で駆動する１つの駆動モジュール形態で実現されてよい。
【００４０】
場合によって、複数のディスプレイモジュールのそれぞれは、各ディスプレイモジュールの動作を制御するためのサブプロセッサ及びサブプロセッサの制御によって各ディスプレイモジュールを駆動する駆動モジュールを含むように実現されてよい。この場合、各サブプロセッサ及び駆動モジュールは、ハードウェア、ソフトウェア、ファームウェア（ｆｉｒｍｗａｒｅ）またはＩＣ（ｉｎｔｅｇｒａｔｅｄ  ｃｈｉｐ）などで実現されてよい。一実施形態によると、各サブプロセッサはそれぞれ分離された半導体ＩＣで実現されてよい。
【００４１】
ストレージ１３０は、ディスプレイ装置１００の動作に必要な多様なデータを保存する。
【００４２】
ストレージ１３０は、非揮発性メモリ、揮発性メモリ、ハードディスクドライブ（ＨＤＤ）またはソリッドステートドライブ（ＳＳＤ）、ディスプレイ装置１００に装着されたメモリカード（例えば、ｍｉｃｒｏ  ＳＤカード、ＵＳＢメモリなど）、外部入力ポートに接続可能な外部メモリ（例えば、ＵＳＢメモリなど）などで実現されてよい。
【００４３】
特に、ストレージ１３０は、複数のディスプレイモジュール１１０−１、…、１１０−ｎの電流情報を保存することができる。ここで、電流情報は、ディスプレイモジュールを構成する各サブピクセル別の輝度による電流制御情報を保存することができる。ここで、各サブピクセル別の輝度に応じた電流制御情報は、各サブピクセルの電流に応じた輝度特性及び色相シフト特性に基づいてキャリブレーションされた（モデリングされた）サブピクセル別輝度による電流制御情報になってよい。
【００４４】
それは、Ｒ／Ｇ／Ｂ  ＬＥＤが電流によって異なる輝度変化及びカラーシフト現象を起こすためである。具体的に、ＬＥＤは、電流駆動素子として電流に応じて輝度が異なり、Ｒ／Ｇ／Ｂ  ＬＥＤには、各色ごとに固有の抵抗値がある。それによって、同一の電流と電圧を加えると、それぞれかかる電流が異なるため、各Ｒ／Ｇ／Ｂ  ＬＥＤ別に輝度に差が生じるようになる。なお、Ｒ／Ｇ／Ｂ  ＬＥＤは、印加される電流が増加することでカラーシフト（ｃｏｌｏｒ  ｓｈｉｆｔ）現象が発生するようになり、Ｒ／Ｇ／Ｂ  ＬＥＤ別に異なるカラーシフト値を有するようになる。それにより、ＬＥＤで構成されたディスプレイに高輝度を実現するために、電流値を一括で増加させるようになると、輝度偏差及びカラーシフト現象による画質低下が発生するようになる。それにより、本発明の一実施形態では、Ｒ／Ｇ／Ｂ  ＬＥＤ別輝度偏差及びカラーシフトが補償されるようにキャリブレーションされたＲ／Ｇ／Ｂ  ＬＥＤ別電流制御情報を保存することができる。
【００４５】
具体的に、各サブピクセルの輝度別電流制御情報は、各サブピクセルの電流に応じた輝度レベル情報及び各サブピクセルの電流に応じた色相シフト情報に基づいてキャリブレーションされた各サブピクセルの輝度別電流ゲイン値を含む情報であってよい。例えば、各サブピクセル別電流に応じた輝度レベル情報は、Ｒ／Ｇ／Ｂ  ＬＥＤ素子別電流変化に応じた輝度変化情報になり、各サブピクセル別電流に応じた色相情報は、Ｒ／Ｇ／Ｂ  ＬＥＤ素子別電流変化に応じた色座標（例えば、ｘ、ｙ色座標）変化度合になってよい。
【００４６】
この場合、各サブピクセルの輝度別ゲイン情報は、電流変化に応じたＲ／Ｇ／Ｂ  ＬＥＤ素子別輝度変化量が類似するように電流値をキャリブレーションし、電流変化によるＲ／Ｇ／Ｂ  ＬＥＤ素子別カラーシフト現象が発生しないようにキャリブレーションして獲得した各サブピクセルの輝度別電流ゲイン値になってよい。
【００４７】
なお、ストレージ１３０は、ディスプレイモジュールに提供されるパワー別輝度レベル情報を保存することができる。すなわち、ディスプレイモジュールに供給されるパラーが増加するにつれてディスプレイモジュールの輝度も増加するが、供給パワーが予め設定された臨界値を超過すると、ディスプレイモジュールの輝度増加率は次第に減少して最大輝度値以上に増加しなくなる。それによる供給パワー変化量によるディスプレイモジュールの輝度変化量に対する情報が予め測定されてストレージ１３０に保存されてよい。
【００４８】
この場合、パワー別輝度レベル情報は、パワー上昇量に応じた輝度上昇量情報であってよい。ただ、このような形態の情報でなくても、供給パワーと輝度との関係を示す情報なら、これに限らずに適用可能である。
【００４９】
なお、ストレージ１３０は、階調別サブピクセルのそれぞれのパワー情報を保存することができる。映像の階調は輝度値に関連するため、予め設定された階調の映像を表現するために必要なＲ／Ｇ／Ｂ  ＬＥＤ素子別パワーは変化するようになる。このように、映像の階調別Ｒ／Ｇ／Ｂ  ＬＥＤ素子のそれぞれのパワー情報がストレージ１３０に保存されてよい。
【００５０】
例えば、２５６階調値（映像がＲＧＢの各色信号に対して２５６段階の階調を有する場合）、又は１０２４階調（映像がＲＧＢの各色振動に対して１０２４段階の階調を有する場合）が各階調別Ｒ／Ｇ／Ｂ  ＬＥＤ素子のそれぞれのパワー情報をストレージ１３０に保存されてよい。このような各階調別パワー情報は、予め測定されてストレージ１３０に保存されてよい。すなわち、ディスプレイモジュールに階調別映像をそれぞれディスプレイした状態で、Ｒ／Ｇ／Ｂ  ＬＥＤ素子で消費されるパワー量を測定して各階調別パワー情報を獲得することができる。
【００５１】
その他に、ストレージ１３０は、Ｂｉｎｎｉｎｇ  ｇｒｏｕｐに対する情報、ピクセル別最大輝度に対する情報、ピクセル別色相に対する情報、ピクセル別輝度補正係数などを保存することができる。ここで、Ｂｉｎｎｉｎｇ  ｇｒｏｕｐとは、ＬＥＤピクセルの場合、できるだけ同一の特性（輝度、色座標など）を有するＬＥＤピクセルグループであってよい。
【００５２】
例えば、複数のＬＥＤピクセル間ユニフォーミティー（ｕｎｉｆｏｒｍｉｔｙ）特性のために、最大輝度（ｌｕｍｉｎａｎｃｅ）をターゲット輝度に合わせるために、輝度補正係数（ｃｏｒｒｅｃｔｉｏｎ  ｃｏｅｆｆｉｃｉｅｎｔ）を活用してキャリブレーションを通じて輝度を下向調整するようになる。この場合、輝度補正係数は、ターゲットＲ／Ｇ／Ｂ輝度を実現するための３＊３マトリックス状になってよく、各ピクセルに相互異なる輝度補正係数を適用して最大輝度がターゲット輝度になるようにしてユニフォーミティーを実現できるようになる。なお、Ｒ／Ｇ／Ｂ要素のそれぞれに対応する３＊３マトリックス状のパラメータに基づいて、ターゲット輝度を実現しつつ、色温度もユニフォーミティーを有するようにキャリブレーションされてよい。
【００５３】
なお、ストレージ１３０は、複数のディスプレイモジュールのそれぞれを構成するピクセルの数、ピクセルのサイズ及びピクセル間の間隔に対する情報を更に保存することができる。
【００５４】
一方、別の実施形態によると、ストレージ１３０に保存された上述の情報は、ストレージ１３０に保存されておれず、外部装置から獲得されることも可能である。例えば、一部の情報は、セットトップボックスや、外部サーバ、ユーザ端末などのような外部装置からリアルタイムで受信されてよい。
【００５５】
プロセッサ１４０は、ディスプレイ装置１００の動作全体を制御する。ここで、プロセッサ１４０は、中央処理装置（ｃｅｎｔｒａｌ  ｐｒｏｃｅｓｓｉｎｇ  ｕｎｉｔ：ＣＰＵ）、コントローラ、アプリケーションプロセッサ（ａｐｐｌｉｃａｔｉｏｎ  ｐｒｏｃｅｓｓｏｒ：ＡＰ）、またはコミュニケーションプロセッサ（ｃｏｍｍｕｎｉｃａｔｉｏｎ  ｐｒｏｃｅｓｓｏｒ：ＣＰ）、ＡＲＭプロセッサのうち、１つまたはそれ以上を含んでよい。
【００５６】
なお、プロセッサ１４０は、映像に対応するグラフィック処理のためのグラフィックプロセッサ（Ｇｒａｐｈｉｃ  Ｐｒｏｃｅｓｓｉｎｇ  Ｕｎｉｔ：図示せず）を含んでよい。プロセッサ１４０は、コア（Ｃｏｒｅ：図示せず）とＧＰＵ（図示せず）を含むＳｏＣ（Ｓｙｓｔｅｍ  Ｏｎ  Ｃｌｉｐ）で実現されてよい。プロセッサ１４０は、シングルコア、デュアルコア、トリプルコア、クワッドコア及びその倍数のコアを含んでよい。
【００５７】
本発明の一実施形態によると、プロセッサ１４０は、複数の駆動モジュール１２０−１、…、１２０−ｎによって提供可能な全パワー容量及び複数のディスプレイモジュール１１０−１、…、１１０−ｎのそれぞれの個別消費パワー量に基づいて、複数のディスプレイモジュール１１０−１、…、１１０−ｎのそれぞれで利用可能な最大パワー量を算出することができる。続いて、プロセッサ１４０は、算出された最大パワー量に基づいて、複数のディスプレイモジュール１１０−１、…、１１０−ｎのそれぞれのピーク輝度レベルを算出し、ストレージ１３０に保存された電流制御情報に基づいて、複数のディスプレイモジュール１１０−１、…、１１０−ｎのそれぞれに対応するピーク輝度レベルを有するように、複数の駆動モジュール１２０−１、…、１２０−ｎを制御することができる。
【００５８】
この場合、プロセッサ１４０は、複数の駆動モジュール１２０−１、…、１２０−ｎのそれぞれによって提供可能な定格パワー容量の和によって複数の駆動モジュール１２０−１、…、１２０−ｎによって提供可能な全パワー容量を算出することができる。ここで、複数の駆動モジュール１２０−１、…、１２０−ｎによって提供可能な容量は、複数の駆動モジュール１２０−１、…、１２０−ｎのそれぞれに含まれた複数のパワーサプライ、すなわち、ＳＭＰＳの定格容量（又は、定格出力）になってよい。
【００５９】
例えば、図２ｂに示すように、複数のディスプレイモジュール１１０−１、…、１１０−ｎが第１ないし第４ディスプレイモジュール１１０−１ないし１１０−４で実現され、第１ないし第４駆動モジュール１２０−１ないし１２０−４によってそれぞれ駆動される場合を想定する。第１ないし第４駆動モジュール１２０−１ないし１２０−４のそれぞれによって提供可能な定格パワー容量が２００Ｗである場合、全パワー容量は２００Ｗ＊４＝８００Ｗで算出されてよい。
【００６０】
なお、プロセッサ１４０は、複数のディスプレイモジュール１１０−１、…、１１０−ｎのそれぞれにディスプレイされる映像の階調値、及びストレージ１３０から獲得された階調別サブピクセルのそれぞれのパワー情報に基づいて、複数のディスプレイモジュール１１０−１、…、１１０−ｎのそれぞれで消費されるパワー量を算出することができる。
【００６１】
例えば、図３ａに示すように、入力された１つの映像フレームは、第１ないし第４ディスプレイモジュール１１０−１ないし１１０−４に分割されてディスプレイされる。この場合、第１ないし第４ディスプレイモジュール１１０−１ないし１１０−４に提供される第１ないし第４映像領域のそれぞれに対応する映像階調は、通常異なるようになる。１つの映像フレームを複数の映像領域に分割すると、分割された各映像領域に含まれた映像はそれぞれ異なるためである。
【００６２】
プロセッサ１４０は、第１ないし第４ディスプレイモジュール１１０−１ないし１１０−４が第１ないし第４映像領域をディスプレイするために、各サブピクセル、すなわちＲ／Ｇ／Ｂのそれぞれが表現すべき映像階調値に基づいて、第１ないし第４ディスプレイモジュール１１０−１ないし１１０−４で消費されるパワー量を算出することができる。この場合、プロセッサ１４０は、ストレージ１３０に保存された階調別Ｒ／Ｇ／Ｂ  ＬＥＤ素子のそれぞれのパワー情報に基づいて、第１ないし第４ディスプレイモジュール１１０−１ないし１１０−４で消費されるパワー量を算出することができる。
【００６３】
図４は、本発明の一実施形態に係る映像の階調別サブピクセルのそれぞれのパワー情報を示す図である。
【００６４】
例えば、図４に示すように、Ｒ／Ｇ／Ｂ  ＬＥＤ素子のそれぞれが１０２４階調の階調値のそれぞれを表現する場合、消費されるパワー量は異なってよい。通常、Ｒｅｄ  ＬＥＤ素子の場合、Ｇｒｅｅｎ  ＬＥＤ素子及びＢｌｕｅ  ＬＥＤ素子に比べて同一の階調値を表現するために必要なパワーが相対的に大きく、Ｇｒｅｅｎ  ＬＥＤ素子及びＢｌｕｅ  ＬＥＤ素子は同一の階調値を表現するためにほぼ同一のパワーが求められる。
【００６５】
このようなＲ／Ｇ／Ｂ  ＬＥＤ素子別映像の階調表現に求められるパワー値がストレージ１３０に予め保存されており、プロセッサ１４０は予め保存された情報に基づいて、第１ないし第４ディスプレイモジュール１１０−１ないし１１０−４がそれぞれの個別消費パワー量を算出することができる。
【００６６】
例えば、図３ｂに示すように、第１ないし第４ディスプレイモジュール１１０−１ないし１１０−４の個別消費パワー量がそれぞれ６０Ｗ、１００Ｗ、７０Ｗ、５０Ｗで算出されてよい。
【００６７】
続いて、プロセッサ１４０は、第１ないし第４ディスプレイモジュール１１０−１ないし１１０−４によって提供可能な全パワー容量８００Ｗ及び第１ないし第４ディスプレイモジュール１１０−１ないし１１０−４のそれぞれの個別消費パワー量６０Ｗ、１００Ｗ、７０Ｗ、５０Ｗに基づいて、第１ないし第４ディスプレイモジュール１１０−１ないし１１０−４のそれぞれで利用可能な最大パワー量を算出することができる。
【００６８】
一実施形態において、プロセッサ１４０は、複数のディスプレイモジュール１１０−１、…、１１０−ｎの全消費パワー量及び複数のディスプレイモジュール１１０−１、…、１１０−ｎのそれぞれの個別消費パワー量間の比率に基づいて、複数のディスプレイモジュール１１０−１、…、１１０−ｎのそれぞれで利用可能な最大パワー量を算出することができる。
【００６９】
一例として、プロセッサ１４０は、複数のディスプレイモジュール１１０−１、…、１１０−ｎの全パワー容量に複数のディスプレイモジュール１１０−１、…、１１０−ｎの全消費パワー量及び複数のディスプレイモジュール１１０−１、…、１１０−ｎのそれぞれの個別消費パワー量間の比率を掛け算し、複数のディスプレイモジュール１１０−１、…、１１０−ｎのそれぞれで利用可能な最大パワー量を算出することができる。
【００７０】
例えば、上述の実施形態において、第１ないし第４ディスプレイモジュール１１０−１ないし１１０−４のそれぞれの最大パワー量は、８００＊（６０Ｗ/２８０Ｗ）、８００＊（１００Ｗ/２８０Ｗ）、８００＊（７０Ｗ/２８０Ｗ）、８００＊（５０Ｗ/２８０Ｗ）で算出されてよい。
【００７１】
更に別の実施形態において、複数のディスプレイモジュール１１０−１、…、１１０−ｎの全パワー容量及び複数のディスプレイモジュール１１０−１、…、１１０−ｎの全消費パワー量間の差、すなわち、追加で利用可能なパワー容量に複数のディスプレイモジュール１１０−１、…、１１０−ｎの全消費パワー量及び複数のディスプレイモジュール１１０−１、…、１１０−ｎのそれぞれの消費パワー量間の比率を掛け算し、複数のディスプレイモジュール１１０−１、…、１１０−ｎのそれぞれで利用可能な最大パワー量を算出することができる。
【００７２】
例えば、上述の実施形態において追加で利用可能なパワー量は、８００Ｗ
− ２８０Ｗ ＝ ５２０Ｗになるため、第１ないし第４ディスプレイモジュール１１０−１ないし１１０−４のそれぞれの最大パワー量は、６０Ｗ ＋ ５２０＊（６０Ｗ/２８０Ｗ）、１００Ｗ ＋ ５２０＊（１００Ｗ/２８０Ｗ）、７０Ｗ ＋ ５２０＊（７０Ｗ/２８０Ｗ）、５０Ｗ ＋ ５２０＊（５０Ｗ/２８０Ｗ）で算出されてよい。
【００７３】
別の実施形態において、プロセッサ１４０は、複数のディスプレイモジュール１１０−１、…、１１０−ｎの全消費パワー量及び全パワー容量間の比率を、各ディスプレイモジュール１１０−１、…、１１０−ｎの消費パワー量に掛け算して複数のディスプレイモジュール１１０−１、…、１１０−ｎのそれぞれで利用可能な最大パワー量を算出することができる。
【００７４】
例えば、上述の実施形態において、第１ないし第４ディスプレイモジュール１１０−１ないし１１０−４のそれぞれの最大パワー量は、６０＊（８００/２８０）、１００＊（８００Ｗ/２８０Ｗ）、７０＊（８００Ｗ/２８０Ｗ）、５０＊（８００Ｗ/２８０Ｗ）で算出されてよい。
【００７５】
ただ、複数のディスプレイモジュール１１０−１、…、１１０−ｎのそれぞれで利用可能な最大パワー量を算出する方法は、上述の実施形態に限定されるものではなく、多様な方法で適用されてよい。
【００７６】
続いて、プロセッサ１４０は、ストレージ１３０に保存されたディスプレイモジュールに提供されるパワー別最大輝度レベル情報に基づいて、複数のディスプレイモジュール１１０−１、…、１１０−ｎのそれぞれの最大パワー量に対応するピーク輝度レベルを決定することができる。
【００７７】
図５は、本発明の一実施形態に係る複数のディスプレイモジュール間パワーシェアリング方法を説明するための図である。
【００７８】
図５によると、各ディスプレイモジュール１１０−１ないし１１０−４は、ＤＣ端子（又はＡＣ端子）間の結線を通じ、パワーを共有することができる。ただ、ＤＣ端子（または、ＡＣ端子）間の結線は、図５に示された構成に限られるものではなく、各ディスプレイモジュール１１０−１ないし１１０−４間のパワー共有が可能な多様な構成で実現されてよい。
【００７９】
図６は、本発明の一実施形態に係るディスプレイモジュールに提供されるパワー別最大輝度レベル情報を示す図である。
【００８０】
例えば、パワー別最大輝度レベル情報は、図６に示すように、パワー上昇量に応じた輝度増加量を示す図である。図示のように、パワー上昇量が増加するにつれ、同一のパワー量に対して増加される輝度量は次第に減少するようになる。ただ、本発明の一実施形態によって利用可能な情報は、供給パワーと輝度との関係を示す情報なら、適用可能であり、それに限られるものではない。
【００８１】
プロセッサ１４０は、このような情報に基づいて複数のディスプレイモジュール１１０−１、…、１１０−ｎのそれぞれのピーク輝度レベルを決定することができる。
【００８２】
一方、プロセッサ１４０は、複数のディスプレイモジュール１１０−１、…、１１０−ｎのそれぞれが算出されたターゲットピーク輝度レベルを有するための複数のディスプレイモジュール１１０−１、…、１１０−ｎのそれぞれに対応する各サブピクセルの電流ゲイン値をストレージ１３０から獲得し、獲得された各サブピクセルの電流ゲイン値に基づいて複数の駆動モジュール１２０−１、…、１２０−ｎのそれぞれの駆動状態を制御することができる。
【００８３】
すなわち、ストレージ１３０には、複数のディスプレイモジュール１１０−１、…、１１０−ｎを構成する各サブピクセルの輝度別ゲイン情報が保存されていてよい。
【００８４】
図７は、本発明の一実施形態に係る各サブピクセルの輝度別電流ゲイン情報を示す図である。
【００８５】
図７に示すように、各サブピクセルの輝度別電流ゲイン情報は、電流増加に応じた各サブピクセルの輝度及び色相特性に基づいてキャリブレーションされた前記各サブピクセルの輝度別電流ゲイン値を含んでよい。
【００８６】
具体的に、図８に示すように、Ｒ／Ｇ／Ｂ  ＬＥＤ素子は、電流増加によって異なる輝度増加特性を有する。なお、図９ａないし図９ｃに示すように、Ｒ／Ｇ／Ｂ  ＬＥＤ素子は電流増加に応じて色座標が異なる形態変わって、相互異なる色相シフト特性に有するようになる。例えば、図９ａに示すように、Ｒｅｄピクセルは電流増加に応じてｘ、ｙ座標が同一の値を維持するが、図９ｂに示すように、Ｇｒｅｅｎピクセルはｘ、ｙ座標が少しずつ変更され、図９ｂ及び図９ｃに示すように、Ｂｌｕｅピクセルは電流増加に応じて、ｘ、ｙ座標が相当量変更されていることを確認することができる。
【００８７】
それによって、ストレージ１３０には、図７に示すようなＲ／Ｇ／Ｂ  ＬＥＤ素子の電流に応じた輝度特性及び図８ａないし図８ｃに示すようなＲ／Ｇ／Ｂ  ＬＥＤ素子の電流に応じた色相特性が反映されて算出されたＲ／Ｇ／Ｂ  ＬＥＤ素子の輝度別電流ゲイン値が保存されていてよい。一例として、電流ゲイン情報は、８ビット情報に基づいて２８だけの段階に区分された電流ゲイン値を含むことができるが、それに限られるものではない。
【００８８】
例えば、第１ないし第４ディスプレイモジュール１１０−１ないし１１０−４のそれぞれの最大パワー量１８０Ｗ、３００Ｗ、２１０Ｗ、１５０Ｗに対応するピーク輝度レベルがそれぞれＡ、Ｂ、Ｃ、Ｄに決定され、各輝度レベルを実現するのに必要な特定電流値に対して、図７のグラフに基づいてＲ／Ｇ／Ｂ  ＬＥＤ素子のそれぞれに流れる電流のゲイン値が適用され得る。すなわち、第１ないし第４ディスプレイモジュール１１０−１ないし１１０−４のそれぞれのピーク輝度レベルを実現するためのそれぞれの電流値ａ、ｂ、ｃ、ｄにＲ／Ｇ／Ｂ  ＬＥＤ素子の特性に応じた電流ゲイン値の適用された最終電流値が第１ないし第４ディスプレイモジュール１１０−１ないし１１０−４に印加されてよい。
【００８９】
例えば、第１ディスプレイモジュール１１０−１のＲ／Ｇ／Ｂ  ＬＥＤ素子をそれぞれ駆動するためのゲイン値ｇｒ１、ｇｇ１、ｇｂ１をそれぞれに対応する電流値ａに適用し、第２ディスプレイモジュール１１０−２のＲ／Ｇ／Ｂ  ＬＥＤ素子をそれぞれ駆動するためのゲイン値ｇｒ２、ｇｇ２、ｇｂ２をそれぞれに対応する電流値ｂに適用し、第３ディスプレイモジュール１１０−３のＲ／Ｇ／Ｂ  ＬＥＤ素子をそれぞれ駆動するためのゲイン値ｇｒ３、ｇｇ３、ｇｂ３をそれぞれに対応する電流値ｃに適用し、第４ディスプレイモジュール１１０−４のＲ／Ｇ／Ｂ  ＬＥＤ素子をそれぞれ駆動するためのゲイン値ｇｒ４、ｇｇ４、ｇｂ４をそれぞれに対応する電流値ｄに適用することで、第１ないし第４ディスプレイモジュール１１０−１ないし１１０−４の輝度をピーク輝度レベルに制御することができる。
【００９０】
図１０は、本発明の一実施形態に係るディスプレイ装置の駆動方法を説明するための図である。
【００９１】
図１０は、本発明の一実施形態に係る複数のディスプレイモジュールで構成されたディスプレイを含むディスプレイ装置の駆動方法を示す。
【００９２】
図１０に示すディスプレイ装置の駆動方法によると、まず、複数のディスプレイモジュールのそれぞれの個別消費パワー量を算出する（Ｓ１０１０）。
【００９３】
続いて、複数のディスプレイモジュールの全パワー容量及び複数のディスプレイモジュールのそれぞれの個別消費パワー量に基づいて、複数のディスプレイモジュールのそれぞれで利用可能な最大パワー量を算出する（Ｓ１０２０）。ここで、全パワー容量は、複数のディスプレイモジュールのそれぞれの定格パワー容量の和によって算出されてよい。
【００９４】
次に、算出された最大パワー量に基づいて複数のディスプレイモジュールのそれぞれのピーク輝度レベルを算出する（Ｓ１０３０）。
【００９５】
その後、複数のディスプレイモジュールのそれぞれに対応するピーク輝度レベルを有するように複数のディスプレイモジュールを駆動する（Ｓ１０４０）。
【００９６】
複数のディスプレイモジュールのそれぞれで利用可能な最大パワー量を算出するステップ９３０においては、複数の駆動モジュールによって提供可能な全パワー容量及び複数のディスプレイモジュールの全消費パワー量及び複数のディスプレイモジュールのそれぞれの個別消費パワー量間に比率に基づいて、複数のディスプレイモジュールのそれぞれで利用可能な最大パワー量を算出することができる。
【００９７】
一方、ディスプレイ装置は、複数のディスプレイモジュールを構成する各サブピクセルの電流に応じた輝度及び色相特性に基づいてキャリブレーションされた各サブピクセルの輝度別電流制御情報を含んでよい。ここで、電流制御情報は、各サブピクセルの電流に応じた輝度レベル情報及び各サブピクセルの電流に応じた色相シフト情報に基づいてキャリブレーションされた各サブピクセルの輝度別電流ゲイン値を含む情報であってよい。この場合、複数のディスプレイモジュールを駆動するステップＳ９３０においては、ストレージに保存された電流制御情報に基づいて複数のディスプレイモジュールのそれぞれに対応するピーク輝度レベルを有するように複数のディスプレイモジュールを駆動することができる。
【００９８】
なお、ストレージは、ディスプレイモジュールに提供されるパワー別輝度レベル情報を更に保存することができる。この場合、ピーク輝度レベルを算出するステップＳ９２０では、複数のディスプレイモジュールのそれぞれの消費パワー量中に最大消費パワー量を有する基準ディスプレイモジュールのパワー上昇率に基づいて残りのディスプレイモジュールのパワー上昇量を決定し、各ディスプレイモジュールに対して算出された最大パワー量に基づいて各ディスプレイモジュールのピーク輝度レベルを算出することができる。
【００９９】
なお、ストレージは、ディスプレイモジュールに提供されるパワー別輝度レベル情報を更に含むことができる。この場合、ピーク輝度レベルを算出するステップＳ９３０では、パワー別最大輝度レベル情報及び複数のディスプレイモジュールのそれぞれで利用可能な最大パワー量に基づいて複数のディスプレイモジュールのそれぞれのピーク輝度レベルを算出することができる。
【０１００】
なお、複数のディスプレイモジュールを駆動するステップＳ９４０では、複数のディスプレイモジュールのそれぞれが算出されたピーク輝度レベルを有するための複数のディスプレイモジュールのそれぞれに対応する各サブピクセル別電流ゲイン値をストレージから獲得し、獲得された各サブピクセル別電流ゲイン値に基づいて複数のディスプレイモジュールをそれぞれ駆動することができる。
【０１０１】
なお、ストレージは、映像の階調別サブピクセルのそれぞれのパワー情報を更に保存することができる。この場合、複数のディスプレイモジュールのそれぞれの消費パワー量を算出するステップＳ９１０においては、複数のディスプレイモジュールのそれぞれにディスプレイされる映像の階調値及び前記階調別サブピクセルのそれぞれのパワー情報に基づいて、複数のディスプレイモジュールのそれぞれの消費パワー量を算出することができる。
【０１０２】
一方、複数のディスプレイモジュールのそれぞれは、複数のＬＥＤ素子を含むＬＥＤキャビネットで実現され、各サブピクセルは、Ｒ（Ｒｅｄ）  ＬＥＤ、Ｇ（Ｇｒｅｅｎ）  ＬＥＤ、Ｂ（Ｂｌｕｅ）  ＬＥＤピクセルで実現されてよい。
【０１０３】
以上、説明したように、本発明の多様な実施形態によると、複数のディスプレイモジュールで構成されたディスプレイ装置において、ピーク輝度の実現の際、複数のディスプレイモジュール間パワーシェアリングを通じてピーキング効果を極大化できるようになる。なお、各サブピクセルに入力される電流増加によるカラーシフト現象を防止することができるようになるため、ユーザに提供される映像の画質が向上する。
【０１０４】
一方、上述の本発明の多様な実施形態に係る方法は、従来の単位ディスプレイモジュール及び／又は単位ディスプレイモジュールで構成されたディスプレイ装置に対するソフトウェア／ハードウェアアップグレードのみで実現されてよい。
【０１０５】
上述の多様な実施形態に係るエントロピー符号化方法及びエントロピー復号化方法は、プログラムで実現され、プログラムが保存された非一時的な読み取り可能な媒体（ｎｏｎ−ｔｒａｎｓｉｔｏｒｙ  ｃｏｍｐｕｔｅｒ  ｒｅａｄａｂｌｅ  ｍｅｄｉｕｍ）に保存された形態で提供されてよい。
【０１０６】
非一時的な読み取り可能な媒体とは、レジスタやキャッシュ、メモリ等のような短い間データを保存する媒体ではなく、半永久的にデータを保存し、機器によって読み取り（Ｒｅａｄｉｎｇ）が可能な媒体を意味する。具体的には、上述の多様なアプリケーションまたはプログラムは、ＣＤやＤＶＤ、ハードディスク、ブルーレイディスク、ＵＳＢ、メモリカード、ＲＯＭ等のような非一時的な読み取り可能な媒体に保存されて提供されてよい。
【０１０７】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【図１】
2019523452.tif 000003
【図２ａ】
2019523452.tif 000004
【図２ｂ】
2019523452.tif 000005
【図３ａ】
2019523452.tif 000006
【図３ｂ】
2019523452.tif 000007
【図４】
2019523452.tif 000008
【図５】
2019523452.tif 000009
【図６】
2019523452.tif 000010
【図７】
2019523452.tif 000011
【図８】
2019523452.tif 000012
【図９ａ】
2019523452.tif 000013
【図９ｂ】
2019523452.tif 000014
【図９ｃ】
2019523452.tif 000015
【図１０】
2019523452.tif 000016
【国際調査報告】
2019523452.tif 000017
2019523452.tif 000018
2019523452.tif 000019
2019523452.tif 000020